(57)【要約】【課題】不特定の視聴者の利用状況に応じて画像の表示方法を調整することができるマルチディスプレイ装置を提供する。【解決手段】複数のディスプレイ１１からなるディスプレイ部１を備えるマルチディスプレイ装置は、ディスプレイ部１に表示された画像を見ている視聴者が近傍領域に存在することを検出し、検出結果に応じて大きさを調整した画像をディスプレイ部１に表示する。例えば、マルチディスプレイ装置は、視聴者が近傍領域に存在する場合に、画像の表示に用いるディスプレイ１１の数を減らしてディスプレイ部１に小さな画像を表示することにより、近傍領域内の視聴者が画像を見やすくする。またマルチディスプレイ装置は、視聴者が近傍領域に存在しない場合に、ディスプレイ部１に大きな画像を表示することにより、近傍領域外の視聴者が画像を見やすくする。【選択図】図１
2012058475.tif 000002
【特許請求の範囲】
【請求項１】
複数のディスプレイからなるディスプレイ部を備え、各ディスプレイよりも大きな画像の一部を各ディスプレイで表示することにより、前記ディスプレイ部で前記画像を表示するマルチディスプレイ装置において、
前記ディスプレイ部の近傍範囲に視聴者が存在することを検出する視聴者検出手段と、
該視聴者検出手段での検出結果に応じて大きさを調整した画像を前記ディスプレイ部に表示させる画像調整手段と
を備えることを特徴とするマルチディスプレイ装置。
【請求項２】
前記画像調整手段は、
前記ディスプレイ部で画像表示に用いるディスプレイの数を増減することにより、前記ディスプレイ部に表示させる画像の大きさを少なくとも二段階に調整することが可能であり、
前記視聴者検出手段により前記近傍範囲に視聴者が存在することが検出された場合に、画像の大きさを小さい方に調整する手段と、
前記視聴者検出手段により前記近傍範囲に視聴者が存在することが検出されない場合に、画像の大きさを大きい方に調整する手段とを有すること
を特徴とする請求項１に記載のマルチディスプレイ装置。
【請求項３】
前記画像調整手段は、
前記ディスプレイ部で画像表示に用いるディスプレイの数を増減することにより、前記ディスプレイ部に表示させる画像の大きさを少なくとも二段階に調整することが可能であり、
前記視聴者検出手段により前記近傍範囲に視聴者が存在することが検出された場合に、画像の大きさを大きい方に調整する手段と、
前記視聴者検出手段により前記近傍範囲に視聴者が存在することが検出されない場合に、画像の大きさを小さい方に調整する手段とを有すること
を特徴とする請求項１に記載のマルチディスプレイ装置。
【請求項４】
前記画像調整手段は、
前記ディスプレイ部で複数のディスプレイを用いて一つの画像を表示している状態で、前記視聴者検出手段により前記近傍範囲に視聴者が存在することが検出された場合に、前記ディスプレイ部に、前記複数のディスプレイよりも少数のディスプレイを用いて、前記一つの画像と内容が同一の小画像を、前記一つの画像に加えて表示させる手段を有すること
を特徴とする請求項１から３までのいずれか一つに記載のマルチディスプレイ装置。
【請求項５】
前記近傍範囲に居る視聴者の位置を検出する手段と、
前記画像調整手段で前記小画像を表示するために用いるディスプレイとして、検出した視聴者の位置に近い位置にあるディスプレイを選択する手段と
を更に備えることを特徴とする請求項４に記載のマルチディスプレイ装置。
【請求項６】
時計手段と、
該時計手段が計測した日時に応じて、前記視聴者検出手段及び前記画像調整手段の動作と非動作とを切り替える手段と
を更に備えることを特徴とする請求項１から５までのいずれか一つに記載のマルチディスプレイ装置。
【請求項７】
前記視聴者検出手段は、
撮像手段と、
該撮像手段が外部を撮影した画像中から、前記ディスプレイ部の表示面に対向した人間の顔を検出する手段と、
該手段が前記顔を検出した場合に、前記画像中での前記顔の大きさ及び／又は位置に基づいて、前記近傍範囲に視聴者が存在するか否かを判定する手段と
を有することを特徴とする請求項１から６までのいずれか一つに記載のマルチディスプレイ装置。
【発明の詳細な説明】
【技術分野】
【０００１】
本発明は、複数のディスプレイを用いて画像を表示するマルチディスプレイ装置に関する。
【背景技術】
【０００２】
従来、複数のディスプレイを組み合わせてより大画面のディスプレイを構成したマルチディスプレイ装置がある。このマルチディスプレイ装置では、夫々のディスプレイが一つの画像の一部を表示することにより、複数のディスプレイで構成した大画面のディスプレイが一つの大画像を表示することが可能である。マルチディスプレイ装置は、例えば、店舗又は公共スペース等に設置されて不特定の視聴者に各種の情報を提供する情報ディスプレイに利用されている。
【０００３】
不特定の視聴者により利用されるマルチディスプレイ装置は、視聴者の利用状況に応じて画像の表示方法を調整することが望ましい。例えば、視聴者が見ていないディスプレイがある場合には、このディスプレイでの画像表示を中止することによって省電力を図ることができる。特許文献１には、視聴者の視線を検出し、視聴者の視線から外れたディスプレイでの表示を中止するマルチディスプレイ装置が開示されている。特許文献２には、各ディスプレイに表示する画像の重要度を検出し、重要度の高い画像を視聴者の視線上のディスプレイに表示するマルチディスプレイ装置が開示されている。
【先行技術文献】
【特許文献】
【０００４】
【特許文献１】特開２００１−３５０５４９号広報
【特許文献２】特開２００７−５８６８７号広報
【発明の概要】
【発明が解決しようとする課題】
【０００５】
引用文献１及び２に記載の技術では、各視聴者の視線を検出する必要がある。不特定の視聴者の視線を検出することは困難であり、また複数の視聴者がいる場合は視聴者の視線が一様ではないので、不特定の視聴者が利用するマルチディスプレイ装置に引用文献１及び２に記載の技術を適用することは困難である。また引用文献２に記載の技術では、視聴者の視線上に重要度の高い画像を表示したとしても、マルチディスプレイ装置から視聴者が遠い場合は、画像を視聴者が視認することは難しいという問題がある。また逆にマルチディスプレイ装置から視聴者が近い場合は、視聴者に視認される画像が大きすぎて画像の全体を確認することが難しくなることがある。このように、従来の技術では、マルチディスプレイ装置での画像の表示方法を視聴者の利用状況に応じて調整することは困難であった。
【０００６】
本発明は、斯かる事情に鑑みてなされたものであって、その目的とするところは、不特定の視聴者の利用状況に応じて画像の表示方法を調整することができるマルチディスプレイ装置を提供することにある。
【課題を解決するための手段】
【０００７】
本発明に係るマルチディスプレイ装置は、複数のディスプレイからなるディスプレイ部を備え、各ディスプレイよりも大きな画像の一部を各ディスプレイで表示することにより、前記ディスプレイ部で前記画像を表示するマルチディスプレイ装置において、前記ディスプレイ部の近傍範囲に視聴者が存在することを検出する視聴者検出手段と、該視聴者検出手段での検出結果に応じて大きさを調整した画像を前記ディスプレイ部に表示させる画像調整手段とを備えることを特徴とする。
【０００８】
本発明においては、複数のディスプレイを含むディスプレイ部で画像を表示するマルチディスプレイ装置は、マルチディスプレイ装置の近傍領域に視聴者が存在するか否かに応じて、ディスプレイ部に表示する画像の大きさを調整する。これにより、マルチディスプレイ装置は、視聴者が画像を見ているか見ていないか等、不特定の視聴者の利用状況に応じて画像の表示方法を調整する。
【０００９】
本発明に係るマルチディスプレイ装置は、前記画像調整手段は、前記ディスプレイ部で画像表示に用いるディスプレイの数を増減することにより、前記ディスプレイ部に表示させる画像の大きさを少なくとも二段階に調整することが可能であり、前記視聴者検出手段により前記近傍範囲に視聴者が存在することが検出された場合に、画像の大きさを小さい方に調整する手段と、前記視聴者検出手段により前記近傍範囲に視聴者が存在することが検出されない場合に、画像の大きさを大きい方に調整する手段とを有することを特徴とする。
【００１０】
本発明においては、マルチディスプレイ装置は、視聴者がマルチディスプレイ装置の近傍領域に存在しない場合に、ディスプレイ部に大きな画像を表示し、視聴者が近傍領域に存在する場合に、画像を表示するために用いるディスプレイを減らして小さな画像を表示する。このように、マルチディスプレイ装置は、視聴者が近づいた場合に画像を小さく表示するので、視聴者にとって画像の全体を視認しやすくなる。
【００１１】
本発明に係るマルチディスプレイ装置は、前記画像調整手段は、前記ディスプレイ部で画像表示に用いるディスプレイの数を増減することにより、前記ディスプレイ部に表示させる画像の大きさを少なくとも二段階に調整することが可能であり、前記視聴者検出手段により前記近傍範囲に視聴者が存在することが検出された場合に、画像の大きさを大きい方に調整する手段と、前記視聴者検出手段により前記近傍範囲に視聴者が存在することが検出されない場合に、画像の大きさを小さい方に調整する手段とを有することを特徴とする。
【００１２】
本発明においては、マルチディスプレイ装置は、視聴者がマルチディスプレイ装置の近傍領域に存在する場合に、ディスプレイ部に大きな画像を表示し、視聴者が近傍領域に存在しない場合に、画像を表示するために用いるディスプレイを減らして小さな画像を表示する。このように、マルチディスプレイ装置は、画像を見ている視聴者が居ない場合に、一部のディスプレイで画像の表示を中止する。
【００１３】
本発明に係るマルチディスプレイ装置は、前記画像調整手段は、前記ディスプレイ部で複数のディスプレイを用いて一つの画像を表示している状態で、前記視聴者検出手段により前記近傍範囲に視聴者が存在することが検出された場合に、前記ディスプレイ部に、前記複数のディスプレイよりも少数のディスプレイを用いて、前記一つの画像と内容が同一の小画像を、前記一つの画像に加えて表示させる手段を有することを特徴とする。
【００１４】
本発明においては、マルチディスプレイ装置は、視聴者がマルチディスプレイ装置の近傍領域に存在する場合に、ディスプレイ部に表示中の画像に重ねて内容の同じ小画像を表示する。マルチディスプレイ装置に近づいた視聴者は、小画像を詳しく見ることができ、近傍領域外の遠距離に居る視聴者は、ディスプレイ部に表示中の大きい画像を見続けることができる。
【００１５】
本発明に係るマルチディスプレイ装置は、前記近傍範囲に居る視聴者の位置を検出する手段と、前記画像調整手段で前記小画像を表示するために用いるディスプレイとして、検出した視聴者の位置に近い位置にあるディスプレイを選択する手段とを更に備えることを特徴とする。
【００１６】
本発明においては、マルチディスプレイ装置は、視聴者がマルチディスプレイ装置の近傍領域に存在する場合に、視聴者の位置を検出し、ディスプレイ部に表示中の画像に重ねて内容の同じ小画像を視聴者から近い位置のディスプレイに表示する。マルチディスプレイ装置に近づいた視聴者は、小画像をより詳しく見ることができる。
【００１７】
本発明に係るマルチディスプレイ装置は、時計手段と、該時計手段が計測した日時に応じて、前記視聴者検出手段及び前記画像調整手段の動作と非動作とを切り替える手段とを更に備えることを特徴とする。
【００１８】
本発明においては、マルチディスプレイ装置は、マルチディスプレイ装置の近傍領域に視聴者が存在するか否かに応じてディスプレイ部に表示する画像の大きさを調整する機能の動作と非動作とを日時に応じて切り替える。日時に応じて不特定の視聴者の数が増減する状況では、マルチディスプレイ装置は、視聴者の数に応じた動作を行うことができる。
【００１９】
本発明に係るマルチディスプレイ装置は、前記視聴者検出手段は、撮像手段と、該撮像手段が外部を撮影した画像中から、前記ディスプレイ部の表示面に対向した人間の顔を検出する手段と、該手段が前記顔を検出した場合に、前記画像中での前記顔の大きさ及び／又は位置に基づいて、前記近傍範囲に視聴者が存在するか否かを判定する手段とを有することを特徴とする。
【００２０】
本発明においては、マルチディスプレイ装置は、外部を撮影し、ディスプレイ部に対向した人の顔を検出することにより、ディスプレイ部に表示された画像を見ている視聴者を検出する。またマルチディスプレイ装置は、検出した顔の位置又は大きさに基づいてディスプレイ部から視聴者までの距離を求めることにより、マルチディスプレイ装置の近傍領域に視聴者が存在するか否かを検出する。
【発明の効果】
【００２１】
本発明は、マルチディスプレイ装置において、近い位置に視聴者が居る場合には視聴者に見やすいように画像を小さくする、又は視聴者が画像を見ていない場合には画像を表示しているディスプレイを減らす等のように、不特定の視聴者の利用状況に応じて視聴者にとって利便性が高いように画像の表示方法を調整することができる等、優れた効果を奏する。
【図面の簡単な説明】
【００２２】
【図１】実施の形態１に係るマルチディスプレイ装置の構成を示すブロック図である。
【図２】撮影部が撮影した撮影画像の例を示す模式図である。
【図３】実施の形態１に係るマルチディスプレイ装置が画像の大きさを調整する処理の手順を示すフローチャートである。
【図４】ディスプレイ部に表示した画像の例を示す模式図である。
【図５】実施の形態２に係るマルチディスプレイ装置が画像の大きさを調整する処理の手順を示すフローチャートである。
【図６】実施の形態３に係るマルチディスプレイ装置が画像の大きさを調整する処理の手順を示すフローチャートである。
【図７】画像のオーバーレイ表示の例を示す模式図である。
【図８】実施の形態４に係るマルチディスプレイ装置が画像の大きさを調整する処理の手順を示すフローチャートである。
【図９】実施の形態４におけるオーバーレイ表示の例を示す模式図である。
【図１０】距離センサを用いて視聴者の位置を検出する方法を示す概念図である。
【図１１】近傍領域の例を示す概念図である。
【図１２】実施の形態５に係るマルチディスプレイ装置の構成を示すブロック図である。
【図１３】設定記憶部が記憶する設定内容の例を示す概念図である。
【発明を実施するための形態】
【００２３】
以下本発明をその実施の形態を示す図面に基づき具体的に説明する。
（実施の形態１）
図１は、実施の形態１に係るマルチディスプレイ装置の構成を示すブロック図である。マルチディスプレイ装置は、店舗又は公共スペース等に設置され、施設の案内、展示物の説明、ニュース又は広告等の各種の情報を表す画像を表示する情報ディスプレイである。マルチディスプレイ装置は、複数のディスプレイ１１，１１，…で構成されるディスプレイ部１を備える。ディスプレイ１１は、液晶ディスプレイ又はプラズマディスプレイ等の画像表示部であり、矩形に形成されている。ディスプレイ部１は、複数のディスプレイ１１，１１，…を縦横に並べて構成されてあり、複数のディスプレイ１１，１１，…が組み合わさることにより矩形の巨大なディスプレイとなっている。ディスプレイ部１は、縦にＭ個、横にＮ個のディスプレイ１１が並んで構成されているとする。即ち、ディスプレイ部１は、（Ｍ×Ｎ）個のディスプレイ１１を含んでいる。
【００２４】
ディスプレイ部１は、画像信号の出力インタフェースである接続部２４に接続されている。各ディスプレイ１１は個別に接続部２４に接続されている。なお、ディスプレイ部１は、一のディスプレイ１１が接続部２４に接続され、複数のディスプレイ１１，１１，…が順繰りに接続されたデイジーチェーンにより接続部２４に接続された形態であってもよい。
【００２５】
マルチディスプレイ装置は、外部から画像データを入力される入力部２５と、画像データが表す画像の大きさを調整するスケーリング部２２と、大きさを調整した画像を表示させるディスプレイ１１を切り替える表示切替部２３とを備えている。例えば、ディスプレイ１１の解像度が縦Ａ及び横Ｂである場合に、スケーリング部２２は、画像の解像度が縦（Ａ×Ｍ）及び横（Ｂ×Ｎ）になるように画像をスケーリングし、スケーリングした画像を（Ｍ×Ｎ）個の画像に分割する処理を行う。表示切替部２３は、接続部２４に接続された（Ｍ×Ｎ）個のディスプレイ１１の夫々に（Ｍ×Ｎ）個の画像のいずれかを表示させる処理を行う。解像度が縦（Ａ×Ｍ）及び横（Ｂ×Ｎ）になるようにスケーリングされた画像の一部である（Ｍ×Ｎ）個の画像の夫々を各ディスプレイ１１が表示することにより、ディスプレイ部１は、（Ｍ×Ｎ）個のディスプレイ１１を用いて、各ディスプレイ１１よりも縦にＭ倍及び横にＮ倍大きい画像を表示する。このようにして、ディスプレイ部１は、各ディスプレイ１１よりも大きな画像を表示する。スケーリング部２２及び表示切替部２３には、夫々の動作を制御する表示制御部２１が接続されている。なお、マルチディスプレイ装置は、外部から入力された画像データに基づいた画像を表示するのではなく、内部に画像データを記憶しておき、記憶している画像データに基づいた画像を表示する形態であってもよい。
【００２６】
またマルチディスプレイ装置は、外部を撮影する撮影部（撮像手段）２８を備える。撮影部２８は、ＣＣＤ（Charge Coupled Device ）イメージセンサ等の撮像素子を備え、外部を撮影した撮影画像を生成する。撮影部２８は、ディスプレイ部１の表示面に対向している視聴者の顔を撮影できる位置に配置されている。例えば、撮影部２８は、ディスプレイ部１の上下左右、又はディスプレイ１１の枠部分に配置されている。撮影部２８には、撮影部２８が生成した撮影画像に含まれる人間の顔を検出する処理を行う顔検出部２７が接続されている。顔検出部２７は、既存の技術を用いて、人間の顔を検出する処理を行う。例えば、顔検出部２７は、撮影画像の中から肌の色に近い領域を抽出し、抽出した領域内に、目、眉及び口等の人間の顔に含まれる特徴的な形状の図形が含まれるか否かを判定し、特徴的な形状の図形が含まれる場合に人間の顔を検出したと判定する。また例えば、抽出した領域が一定以上の大きさを有するか否かを判定し、抽出した領域が一定以上の大きさを有する場合に人間の顔を検出したと判定する。顔検出部２７が人間の顔を検出することにより、マルチディスプレイ装置は、ディスプレイ部１の表示面に顔を向けた人間、即ちディスプレイ部１が表示する画像を見ている視聴者を検出する。
【００２７】
顔検出部２７には、視聴者の存在を判定する処理を行う存在判定処理部２６が接続されている。顔検出部２７は、人間の顔を検出した場合に、人間の顔を検出したことを示す信号を存在判定処理部２６へ出力する。存在判定処理部２６は、撮影画像中での顔の大きさ及び位置に基づいて、ディスプレイ部１の表示面までの距離が予め定められた所定距離以下であるマルチディスプレイ装置の近傍領域に視聴者が存在するか否かを判定する。
【００２８】
図２は、撮影部２８が撮影した撮影画像の例を示す模式図である。図２Ａは、近傍領域外に視聴者が居る場合の撮影画像の例を示す。顔検出部２７は、撮影画像中から人間の顔を検出することにより、視聴者を検出する。ディスプレイ部１から離れている視聴者は撮影部２８から遠いので、撮影画像中に占める顔の面積は小さい。図２Ｂは、近傍領域内に視聴者が居る場合の撮影画像の例を示す。視聴者がディスプレイ部１の表示面に近づくほど、視聴者は撮影部２８に近づくことになり、図２Ｂに示すように、撮影画像中の顔の面積が大きくなる。存在判定処理部２６は、撮影画像中の顔の面積が所定の面積以上となった場合に、近傍領域に視聴者が存在すると判定する処理を行う。また、視聴者が離れている場合は視聴者の顔は撮影画像の端付近に位置し、視聴者が近づくほど撮影画像中の中央部等の特定の部分に視聴者の顔は移動する。よって、例えば、存在判定処理部２６は、撮影画像中の予め定められた所定部分に顔が位置する場合に、近傍領域に視聴者が存在すると判定する処理を行う。また存在判定処理部２６は、撮影画像中の特定の位置に顔があり、位置に対応づけられた特定の面積以上に顔の面積が大きい場合に、近傍領域に視聴者が存在すると判定する処理を行ってもよい。このようにして、マルチディスプレイ装置は、近傍領域に視聴者が存在することを検出する。マルチディスプレイ装置は、近傍領域に視聴者が存在すると判定することにより、視聴者がディスプレイ部１の表示面に近づいたことを検出する。なお、マルチディスプレイ装置は、顔検出部２７で人間の顔を検出したか否かの検出結果に応じて近傍領域に視聴者が存在するか否かを判定する形態であってもよい。
【００２９】
存在判定処理部２６は、表示制御部２１に接続されている。存在判定処理部２６は、視聴者の存在の判定結果を示す信号を表示制御部２１へ出力する。また存在判定処理部２６は、顔検出部２７が人間の顔を検出しない場合には、視聴者の存在を検出していないことを示す信号を表示制御部２１へ出力する。表示制御部２１は、存在判定処理部２６からの信号が示す判定結果に基づいて、スケーリング部２２及び表示切替部２３の動作を制御することにより、ディスプレイ部１に表示させる画像の大きさを調整する処理を行う。
【００３０】
次に、マルチディスプレイ装置の動作を説明する。本発明のマルチディスプレイ装置は、視聴者の存在に応じて、ディスプレイ部１で表示する画像の大きさを調整する処理を行う。図３は、実施の形態１に係るマルチディスプレイ装置が画像の大きさを調整する処理の手順を示すフローチャートである。ディスプレイ部１が画像を表示している状態で、撮影部２８は外部を撮影し（Ｓ１１）、顔検出部２７は、撮影画像中に人間の顔を検出したか否かを判定する（Ｓ１２）。顔検出部２７が撮影画像中に人間の顔を検出した場合に（Ｓ１２：ＹＥＳ）、存在判定処理部２６は、マルチディスプレイ装置の近傍領域に視聴者が存在するか否かを判定する（Ｓ１３）。存在判定処理部２６が近傍領域に視聴者が存在すると判定した場合に（Ｓ１３：ＹＥＳ）、表示制御部２１は、ディスプレイ部１で表示している画像の大きさが最大になっているか否かを判定する（Ｓ１４）。
【００３１】
画像の大きさが最大になっている状態は、ディスプレイ部１が（Ｍ×Ｎ）個のディスプレイ１１を用いて画像を表示している状態である。より詳しくは、ディスプレイ１１の解像度が縦Ａ及び横Ｂである場合に、スケーリング部２２は、画像の解像度が縦（Ａ×Ｍ）及び横（Ｂ×Ｎ）になるように画像をスケーリングし、スケーリングした画像を（Ｍ×Ｎ）個の画像に分割する。表示切替部２３は、（Ｍ×Ｎ）個の画像の夫々を各ディスプレイ１１に表示させる。また画像の大きさが最大ではない状態は、（Ｍ×Ｎ）個よりも少ない（ｍ×ｎ）個のディスプレイ１１を用いてディスプレイ部１が画像を表示している状態である。この状態では、スケーリング部２２は、画像の解像度が縦（Ａ×ｍ）及び横（Ｂ×ｎ）になるように画像をスケーリングし、スケーリングした画像を（ｍ×ｎ）個の画像に分割する。表示切替部２３は、（ｍ×ｎ）個の画像の夫々を隣接した（ｍ×ｎ）個のディスプレイ１１に表示させる。またこの状態では、（ｍ×ｎ）個のディスプレイ１１以外のディスプレイ１１は画像を表示していない。表示制御部２１は、スケーリング部２２及び表示切替部２３の制御内容に基づいて、現在ディスプレイ部１で表示している画像の大きさを判定する。
【００３２】
ステップＳ１４で画像の大きさが最大になっている場合は（Ｓ１４：ＹＥＳ）、表示制御部２１は、ディスプレイ部１が（ｍ×ｎ）個のディスプレイ１１を用いて画像を表示するように、スケーリング部２２及び表示切替部２３の動作を制御することにより、画像のサイズを最大の大きさよりも小さくする（Ｓ１５）。ステップＳ１５が終了した後は、表示制御部２１は、画像の大きさを調整する処理を終了する。ステップＳ１４で画像の大きさが最大になっていない場合は（Ｓ１４：ＮＯ）、表示制御部２１は、画像の大きさを維持しながら、画像の大きさを調整する処理を終了する。
【００３３】
ステップＳ１２で顔検出部２７が撮影画像中に人間の顔を検出できない場合（Ｓ１２：ＮＯ）、又はステップＳ１３で存在判定処理部２６が近傍領域に視聴者は存在しないと判定した場合に（Ｓ１３：ＮＯ）、表示制御部２１は、ディスプレイ部１で表示している画像の大きさが最大になっているか否かを判定する（Ｓ１６）。画像の大きさが最大になっている場合は（Ｓ１６：ＹＥＳ）、表示制御部２１は、画像の大きさを最大に維持した状態で、画像の大きさを調整する処理を終了する。ステップＳ１６で画像の大きさが最大になっていない場合は（Ｓ１６：ＮＯ）、表示制御部２１は、スケーリング部２２及び表示切替部２３の動作を制御することにより、ディスプレイ部１で表示する画像の大きさを最大化する（Ｓ１７）。ステップＳ１７が終了した後は、表示制御部２１は、画像の大きさを調整する処理を終了する。マルチディスプレイ装置は、画像の大きさを調整する以上のステップＳ１１〜Ｓ１７の処理を定期的に繰り返す。
【００３４】
図４は、ディスプレイ部１に表示した画像の例を示す模式図である。図４Ａは（３×３）個のディスプレイ１１を用いて画像の大きさを最大にした例を示し、図４Ｂは（２×２）個のディスプレイ１１を用いた大きさに画像のサイズを小さくした例を示す。（２×２）個のディスプレイ１１の選び方は４通り存在するが、画像のサイズを小さくする際にいずれのディスプレイ１１を用いるのかは予め設定されている。障害物の存在等、ディスプレイ部１の設置状況によって、視聴者が見やすいような画像の表示位置は変わるので、マルチディスプレイ装置は、画像のサイズを小さくする際に用いるディスプレイ１１を変更することができる構成となっている。
【００３５】
以上詳述したように、マルチディスプレイ装置は、ディスプレイ部１に表示された画像を見ている視聴者がマルチディスプレイ装置の近傍領域に存在する場合に、ディスプレイ部１に小さな画像を表示する。即ち、不特定の視聴者がディスプレイ部１の表示面に近づいた場合に、画像が小さく表示される。視聴者がディスプレイ部１の表示面に近づいた状態では、ディスプレイ部１全体が視聴者の視界に入りきらないことがある。そこで、ディスプレイ部１の一部のディスプレイ１１を用いて小さい画像を表示した方が、視聴者にとっては画像の全体を視認しやすく、画像の内容を確認しやすい。
【００３６】
また本実施の形態においては、マルチディスプレイ装置は、不特定の視聴者がマルチディスプレイ装置の近傍領域に居ない場合に、ディスプレイ部１に表示する画像を最大化する。大きな画像をディスプレイ部１に表示することにより、遠距離から画像を見やすくなり、近傍領域には居なくても遠距離にいるかもしれない視聴者に対して画像の訴求力が高くなる。遠距離から画像を見かけた視聴者がディスプレイ部１に近づいて画像の内容を確認することが増え、画像の利用効率が向上する。
【００３７】
なお、本実施の形態においては、視聴者がマルチディスプレイ装置の近傍領域に存在する場合又は存在しない場合に画像の大きさを変更する形態を示したが、マルチディスプレイ装置は、視聴者の接近又は離反を検出した場合に画像の大きさを変更する形態であってもよい。マルチディスプレイ装置は、視聴者が近傍領域に存在しない状態から視聴者が近傍領域に存在する状態へ変化することを検出することによって、視聴者の接近を検出することができる。またマルチディスプレイ装置は、視聴者が近傍領域に存在する状態から視聴者が近傍領域に居なくなった状態へ変化することを検出することによって、視聴者の離反を検出することができる。従って、マルチディスプレイ装置は、本実施の形態とほぼ同様の処理を実行することにより、視聴者の接近又は離反を検出した場合に画像の大きさを変更する処理を実行することができる。
【００３８】
なお、本実施の形態においては、撮影部２８を用いて視聴者を検出する形態を示したが、マルチディスプレイ装置は、その他のセンサを用いて視聴者を検出する形態であってもよい。例えば、マルチディスプレイ装置は、赤外線センサを用いて視聴者を検出し、距離センサを用いて視聴者までの距離を測定することによって近傍領域に視聴者が存在することを検出する形態であってもよい。赤外線センサは、赤外線を放射して人体で反射した赤外線を受信する方法、又は人体から放射される赤外線を検出する方法で、視聴者を検出する。また距離センサは、超音波又は電波を放射し、人体で反射した超音波又は電波を受信する方法により、人体までの距離を測定する。マルチディスプレイ装置は、撮影部２８及び顔検出部２７の代わりに、赤外線センサ及び距離センサを備える。またマルチディスプレイ装置は、ステップＳ１１及びＳ１２の代わりに、赤外線センサの検出結果に基づいて視聴者を検出する処理を行い、ステップＳ１３では、距離センサの測定結果に基づいて近傍領域に視聴者が存在するか否かを判定する。この形態においても、マルチディスプレイ装置は、視聴者がディスプレイ部１の表示面に近づいた場合に画像を小さく表示することにより、視聴者に画像を見やすくさせる。
【００３９】
（実施の形態２）
実施の形態２においては、視聴者が居ない場合は消費電力を削減できるようにマルチディスプレイ装置が画像の大きさを調整する形態を示す。マルチディスプレイ装置の内部の構成は実施の形態１と同様であり、その説明を省略する。
【００４０】
図５は、実施の形態２に係るマルチディスプレイ装置が画像の大きさを調整する処理の手順を示すフローチャートである。ディスプレイ部１が画像を表示している状態で、撮影部２８は外部を撮影し（Ｓ２１）、顔検出部２７は、撮影画像中に人間の顔を検出したか否かを判定する（Ｓ２２）。顔検出部２７が人間の顔を検出した場合に（Ｓ２２：ＹＥＳ）、存在判定処理部２６は、マルチディスプレイ装置の近傍領域に視聴者が存在するか否かを判定する（Ｓ２３）。存在判定処理部２６が近傍領域に視聴者が存在すると判定した場合に（Ｓ２３：ＹＥＳ）、表示制御部２１は、ディスプレイ部１で表示している画像の大きさが最大になっているか否かを判定する（Ｓ２４）。画像の大きさが最大になっている場合は（Ｓ２４：ＹＥＳ）、表示制御部２１は、画像の大きさを最大に維持した状態で、画像の大きさを調整する処理を終了する。ステップＳ２４で画像の大きさが最大になっていない場合は（Ｓ２４：ＮＯ）、表示制御部２１は、ディスプレイ部１が（Ｍ×Ｎ）個のディスプレイ１１を用いて画像を表示するように、スケーリング部２２及び表示切替部２３の動作を制御することにより、画像の大きさを最大化する（Ｓ２５）。ステップＳ２５が終了した後は、表示制御部２１は、画像の大きさを調整する処理を終了する。
【００４１】
ステップＳ２２で顔検出部２７が人間の顔を検出できない場合（Ｓ２２：ＮＯ）、又はステップＳ２３で存在判定処理部２６が近傍領域に視聴者は存在しないと判定した場合に（Ｓ２３：ＮＯ）、表示制御部２１は、ディスプレイ部１で表示している画像の大きさが最大になっているか否かを判定する（Ｓ２６）。画像の大きさが最大になっている場合は（Ｓ２６：ＹＥＳ）、表示制御部２１は、ディスプレイ部１が（ｍ×ｎ）個のディスプレイ１１を用いて画像を表示するように、スケーリング部２２及び表示切替部２３の動作を制御することにより、画像のサイズを最大の大きさよりも小さくする（Ｓ２７）。ステップＳ２７が終了した後は、表示制御部２１は、画像の大きさを調整する処理を終了する。ステップＳ２６で画像の大きさが最大になっていない場合は（Ｓ２６：ＮＯ）、表示制御部２１は、画像のサイズを小さくした状態を維持しながら、画像の大きさを調整する処理を終了する。
【００４２】
本実施の形態に係るマルチディスプレイ装置は、画像の大きさを調整する以上のステップＳ２１〜Ｓ２７の処理を定期的に繰り返す。以上の処理により、マルチディスプレイ装置は、ディスプレイ部１に表示された画像を見ている視聴者がマルチディスプレイ装置の近傍領域に存在する場合に、ディスプレイ部１に大きな画像を表示する。即ち、不特定の視聴者がディスプレイ部１の表示面に近づいた場合に、画像が大きく表示され、視聴者は画像の内容を詳しく確認することができる。また、マルチディスプレイ装置は、視聴者がマルチディスプレイ装置の近傍領域に居ない場合に、ディスプレイ部１に小さな画像を表示する。即ち、ディスプレイ部１に表示された画像を見ている視聴者が居ない場合に、ディスプレイ部１の一部のディスプレイ１１で小さい画像が表示され、その他のディスプレイ１１は画像の表示を中止する。このように、マルチディスプレイ装置は、画像を見ている視聴者が居ない場合に、一部のディスプレイ１１で画像の表示を中止することにより、消費電力を削減することができる。
【００４３】
なお、本実施の形態と実施の形態１とは、処理内容が逆であるものの、近傍領域の境界であるディスプレイ部１の表示面から視聴者までの所定距離の設定に違いがある。本実施の形態では、実施の形態１よりも所定距離は長く、近傍領域は広い。近傍領域にいる視聴者は、マルチディスプレイ部１の表示面からある程度距離があるので、大きい画像が表示されても視聴者は画像全体を確認することが容易である。また、本実施の形態に係るマルチディスプレイ装置は、実施の形態１と同様に、赤外線センサを用いて視聴者を検出し、距離センサを用いて近傍領域に視聴者が存在することを検出する形態であってもよい。
【００４４】
（実施の形態３）
実施の形態３においては、近くの視聴者及び遠方の視聴者の両方に見やすくなるようにマルチディスプレイ装置が画像をオーバーレイ表示する形態を示す。マルチディスプレイ装置の内部の構成は実施の形態１と同様であり、その説明を省略する。
【００４５】
図６は、実施の形態３に係るマルチディスプレイ装置が画像の大きさを調整する処理の手順を示すフローチャートである。ディスプレイ部１が画像を表示している状態で、撮影部２８は外部を撮影し（Ｓ３１）、顔検出部２７は、撮影画像中に人間の顔を検出したか否かを判定する（Ｓ３２）。顔検出部２７が人間の顔を検出した場合に（Ｓ３２：ＹＥＳ）、存在判定処理部２６は、マルチディスプレイ装置の近傍領域に視聴者が存在するか否かを判定する（Ｓ３３）。存在判定処理部２６が近傍領域に視聴者が存在すると判定した場合に（Ｓ３３：ＹＥＳ）、表示制御部２１は、ディスプレイ部１で最大の大きさで表示している画像に重ねて同じ画像をより小さいサイズで表示したオーバーレイ表示を行っているか否かを判定する（Ｓ３４）。オーバーレイ表示を行っていない場合は（Ｓ３４：ＮＯ）、表示制御部２１は、表示中の画像と内容が同じでサイズの小さい小画像を、表示中の画像に重ねてディスプレイ部１に表示させるオーバーレイ表示を行う（Ｓ３５）。ステップＳ３５では、表示制御部２１は、（Ｍ×Ｎ）個よりも少数のディスプレイ１１を用いて小画像を表示中の画像に重ねて表示するように、スケーリング部２２及び表示切替部２３の動作を制御することにより、オーバーレイ表示を行う。
【００４６】
図７は、画像のオーバーレイ表示の例を示す模式図である。（３×３）個のディスプレイ１１を用いて最大の大きさで画像が表示されている一方で、３個のディスプレイ１１の夫々に、内容が同じでサイズを小さくした小画像が表示されている。大きさが最大の画像は、小画像がオーバーレイ表示されることによって一部が隠ぺいされている。なお、図７には三つの小画像を表示した例を示しているが、マルチディスプレイ装置は、一つの小画像をディスプレイ部１に表示してもよい。また、図７には一つのディスプレイ１１を用いて小画像を表示した例を示しているが、マルチディスプレイ装置は、複数のディスプレイ１１を用いて一つの小画像を表示してもよい。また小画像を表示するためにいずれのディスプレイ１１を用いるのかは予め設定されている。小画像を表示するためのディスプレイ１１は、ディスプレイ部１の表示面に近づいた視聴者の目線と同じ高さにあるディスプレイ１１であることが望ましい。
【００４７】
ステップＳ３５が終了した後は、表示制御部２１は、画像の大きさを調整する処理を終了する。ステップＳ３４でオーバーレイ表示を行っている場合は（Ｓ３４：ＹＥＳ）、表示制御部２１は、画像のオーバーレイ表示を行った状態を維持しながら、画像の大きさを調整する処理を終了する。
【００４８】
ステップＳ３２で顔検出部２７が人間の顔を検出できない場合（Ｓ３２：ＮＯ）、又はステップＳ３３で存在判定処理部２６が近傍領域に視聴者は存在しないと判定した場合に（Ｓ３３：ＮＯ）、表示制御部２１は、ディスプレイ部１でオーバーレイ表示を行っているか否かを判定する（Ｓ３６）。オーバーレイ表示を行っている場合は（Ｓ３６：ＹＥＳ）、表示制御部２１は、スケーリング部２２及び表示切替部２３の動作を制御することにより、オーバーレイ表示を中止する（Ｓ３７）。ステップＳ３７により、ディスプレイ部１には最大の大きさの画像のみが表示される。ステップＳ３７の処理が終了した後は、表示制御部２１は、画像の大きさを調整する処理を終了する。ステップＳ３６でオーバーレイ表示を行っていない場合は（Ｓ３６：ＮＯ）、表示制御部２１は、画像の大きさを調整する処理を終了する。本実施の形態に係るマルチディスプレイ装置は、画像の大きさを調整する以上のステップＳ３１〜Ｓ３７の処理を定期的に繰り返す。
【００４９】
以上詳述したように、マルチディスプレイ装置は、ディスプレイ部１に表示された画像を見ている視聴者がマルチディスプレイ装置の近傍領域に存在する場合に、表示中の画像に重ねて内容の同じ小画像を表示する。即ち、不特定の視聴者がディスプレイ部１の表示面に近づいた場合に、小画像がオーバーレイ表示される。ディスプレイ部１に近づいた視聴者にとっては、小画像を見ることにより、画像の全体を視認しやすく、画像の内容を確認しやすい。また小画像に一部を隠ぺいされながらも、大きい画像はディスプレイ部１に表示され続けるので、遠距離からも画像を見やすく、遠距離にいるかもしれない不特定の視聴者に対する画像の訴求力は低下しない。このように、マルチディスプレイ装置は、近くの視聴者及び遠方の視聴者の両方に見やすいように画像を表示する。
【００５０】
なお、本実施の形態に係るマルチディスプレイ装置は、実施の形態１と同様に、赤外線センサを用いて視聴者を検出し、距離センサを用いて近傍領域に視聴者が存在することを検出する形態であってもよい。また本実施の形態に係るマルチディスプレイ装置は、近傍領域に視聴者が存在する場合に、小画像を表示する処理に加えて、実施の形態１又は２における画像の大きさを変更する処理を行う形態であってもよい。
【００５１】
（実施の形態４）
実施の形態４においては、マルチディスプレイ装置が近傍領域に居る視聴者の位置に応じて小画像の位置を調整する形態を示す。マルチディスプレイ装置の内部の構成は実施の形態１と同様であり、その説明を省略する。
【００５２】
図８は、実施の形態４に係るマルチディスプレイ装置が画像の大きさを調整する処理の手順を示すフローチャートである。ディスプレイ部１が画像を表示している状態で、撮影部２８は外部を撮影し（Ｓ４１）、顔検出部２７は、撮影画像中に人間の顔を検出したか否かを判定する（Ｓ４２）。顔検出部２７が人間の顔を検出した場合に（Ｓ４２：ＹＥＳ）、存在判定処理部２６は、マルチディスプレイ装置の近傍領域に視聴者が存在するか否かを判定する（Ｓ４３）。近傍領域に視聴者が存在すると判定した場合に（Ｓ４３：ＹＥＳ）、存在判定処理部２６は、撮影画像中での顔の位置に基づいて、近傍領域内での視聴者の位置を検出する（Ｓ４４）。
【００５３】
ステップＳ４４では、存在判定処理部２６は、例えば、撮影画像中で横方向の中央部分に顔が位置している場合に、視聴者の位置をディスプレイ部１の中央部分の前であると判定する。また、撮影画像中で横方向の右寄りの部分に顔が位置している場合に、存在判定処理部２６は、視聴者の位置を、視聴者側から見てディスプレイ部１の前の左寄りの位置であると判定する。また、撮影画像中で横方向の左寄りの部分に顔が位置している場合に、存在判定処理部２６は、視聴者の位置を、視聴者側から見てディスプレイ部１の前の右寄りの位置であると判定する。
【００５４】
表示制御部２１は、次に、検出した視聴者の位置に最も近い位置にあるディスプレイ１１に小画像を表示させるように、スケーリング部２２及び表示切替部２３の動作を制御することにより、画像のオーバーレイ表示を行う（Ｓ４５）。ステップＳ４５が終了した後は、表示制御部２１は、画像の大きさを調整する処理を終了する。
【００５５】
図９は、実施の形態４におけるオーバーレイ表示の例を示す模式図である。図９Ａは、視聴者側から見てディスプレイ部１の前の左寄りの位置に視聴者が居る場合のオーバーレイ表示の例を示す。複数のディスプレイ１１の内、視聴者に最も近い位置にあるディスプレイ１１、即ちディスプレイ部１の左下にあるディスプレイ１１１に小画像が表示されている。図９Ｂは、視聴者側から見てディスプレイ部１の中央部分の前に視聴者が居る場合のオーバーレイ表示の例を示す。視聴者に最も近い位置にあるディスプレイ１１、即ちディスプレイ部１の中央下にあるディスプレイ１１２に小画像が表示されている。図９Ｃは、視聴者側から見てディスプレイ部１の前の右寄りの位置に視聴者が居る場合のオーバーレイ表示の例を示す。複数のディスプレイ１１の内、視聴者に最も近い位置にあるディスプレイ１１、即ちディスプレイ部１の右下にあるディスプレイ１１３に小画像が表示されている。
【００５６】
ステップＳ４２で顔検出部２７が人間の顔を検出できない場合（Ｓ４２：ＮＯ）、又はステップＳ４３で存在判定処理部２６が近傍領域に視聴者は存在しないと判定した場合に（Ｓ４３：ＮＯ）、表示制御部２１は、ディスプレイ部１でオーバーレイ表示を行っているか否かを判定する（Ｓ４６）。オーバーレイ表示を行っている場合は（Ｓ４６：ＹＥＳ）、表示制御部２１は、オーバーレイ表示を中止する（Ｓ４７）。ステップＳ４７の処理が終了した後は、表示制御部２１は、画像の大きさを調整する処理を終了する。ステップＳ４６でオーバーレイ表示を行っていない場合は（Ｓ４６：ＮＯ）、表示制御部２１は、画像の大きさを調整する処理を終了する。本実施の形態に係るマルチディスプレイ装置は、画像の大きさを調整する以上のステップＳ４１〜Ｓ４７の処理を定期的に繰り返す。
【００５７】
なお、ディスプレイ装置は、赤外線センサを用いて視聴者を検出し、距離センサを用いて近傍領域に視聴者が存在することを検出する形態であってもよい。以下、距離センサを用いたマルチディスプレイ装置の処理を説明する。この形態のマルチディスプレイ装置は、ステップＳ４１及びＳ４２の代わりに、赤外線センサの検出結果に基づいて視聴者を検出する処理を行う。またマルチディスプレイ装置は、複数の距離センサを備え、距離センサの測定結果に基づいて、ステップＳ４３で近傍領域に視聴者が存在するか否かを判定し、ステップＳ４４で視聴者の位置を検出する。
【００５８】
図１０は、距離センサを用いて視聴者の位置を検出する方法を示す概念図である。距離センサはディスプレイ部１の両脇に一つずつ設けられているとする。ディスプレイ部１の表示面に沿った方向をｘ方向とし、表示面に直交する方向をｙ方向とする。また各ディスプレイ１１の横幅をａとする。このため、（３×３）個のディスプレイ１１からなるディスプレイ部１の横幅は３ａとなる。左下のディスプレイ１１１の左端位置を点Ａ（０，０）とすると、右下のディスプレイ１１３の右端位置は点Ｂ（３ａ，０）となる。視聴者の位置を点Ｃ（Ｘ，Ｙ）とする。点Ａから点Ｃまでの距離ｄｉｓＡと、点Ｂから点Ｃまでの距離ｄｉｓＢは、ディスプレイ部１の両脇に設けられた距離センサにより測定される。点Ｃの座標（Ｘ，Ｙ）は、下記の２式の連立方程式により計算される。
ｄｉｓＡ2 ＝Ｘ2 ＋Ｙ2 
ｄｉｓＢ2 ＝（Ｘ−３ａ）2 ＋Ｙ2
【００５９】
図１１は、近傍領域の例を示す概念図である。マルチディスプレイ装置は、ステップＳ４３で、計算したＹの値が所定距離以上であるか否かに基づいて、近傍領域に視聴者が存在するか否かを判定する。一般的には、表示画面の縦方向の３倍離れた位置が最適視聴距離であるといわれている。そこで、例えば、各ディスプレイ１１の縦幅をｂとすると、ディスプレイ部１の縦幅の３倍である９ｂを所定距離とする。マルチディスプレイ装置は、ステップＳ４３で、Ｙが９ｂ以下の場合に近傍領域に視聴者が存在すると判定し、Ｙが９ｂより大きい場合に視聴者は近傍領域にいないと判定する。またマルチディスプレイ装置は、Ｘ＜−ａ及びＸ＞４ａの場合にも、視聴者は近傍領域にいないと判定する。
【００６０】
またマルチディスプレイ装置は、ステップＳ４４で、Ｘの値を計算することにより視聴者の位置を検出し、Ｓ４５で、Ｘの値に応じたディスプレイ１１に画像のオーバーレイ表示を行う。具体的は、マルチディスプレイ装置は、−ａ≦Ｘ＜ａである場合に、ディスプレイ１１１に小画像を表示させ、ａ≦Ｘ≦２ａである場合に、ディスプレイ１１２に小画像を表示させ、２ａ＜Ｘ≦４ａである場合に、ディスプレイ１１３に小画像を表示させる。
【００６１】
以上詳述したように、マルチディスプレイ装置は、複数のディスプレイ１１の内、近傍領域に居る視聴者に近い位置にあるディスプレイ１１に、ディスプレイ部１全体で表示中の画像に重ねて内容の同じ小画像を表示する。即ち、不特定の視聴者がディスプレイ部１の表示面に近づいた場合に、ディスプレイ部１の視聴者が近づいた部分に小画像がオーバーレイ表示される。ディスプレイ部１に近づいた視聴者にとっては、手近な位置に小画像が表示されるので、小画像を視認しやすく、画像の内容を確認しやすい。また実施の形態３と同様に、大きい画像はディスプレイ部１に表示され続けるので、遠距離にいるかもしれない不特定の視聴者に対する画像の訴求力は低下しない。
【００６２】
なお、本実施の形態においても、マルチディスプレイ装置は、実施の形態３と同様に、近傍領域に視聴者が存在する場合に、小画像を表示する処理に加えて、実施の形態１又は２における画像の大きさを変更する処理を行う形態であってもよい。
【００６３】
（実施の形態５）
実施の形態５においては、マルチディスプレイ装置が画像の大きさを調整する機能を日時に応じて切り替える形態を示す。図１２は、実施の形態５に係るマルチディスプレイ装置の構成を示すブロック図である。実施の形態５においては、マルチディスプレイ装置は、日時を計測する時計部（時計手段）３１を備え、時計部３１は表示制御部２１に接続されている。表示制御部２１は、時計部３１が計測する日時に応じて、画像の大きさを調整する機能を切り替える処理を行う。また表示制御部２１には、画像の大きさを調整する機能を切り替えるための設定内容を記憶した設定記憶部３２が接続されている。マルチディスプレイ装置のその他の構成は実施の形態１と同様であり、その説明を省略する。
【００６４】
図１３は、設定記憶部３２が記憶する設定内容の例を示す概念図である。日時の例として曜日が設定されており、各曜日に関連付けて、実施の形態１又は２の如き、ディスプレイ部１で画像を表示するディスプレイ１１の数を減らすことにより画像のサイズを小さく変更する機能を実行するか否かが設定されている。また各曜日に関連付けて、実施の形態３又は４の如き、ディスプレイ部１中のいずれかのディスプレイ１１に小画像をオーバーレイ表示する機能を実行するか否かが設定されている。表示制御部２１は、設定記憶部３２に記憶されている設定に従って、時計部３１が計測する日時に応じて画像のサイズを小さく変更する機能及び／又は小画像をオーバーレイ表示する機能の実行と非実行とを切り替える処理を行う。
【００６５】
図１３に示す例では、月〜木曜日には、画像のサイズを小さく変更する機能を実行し、小画像をオーバーレイ表示する機能は実行しないことが設定されている。月〜木曜日に人通りが少ない場所に設置されているマルチディスプレイ装置は、実施の形態１又は２の如き視聴者の存在又は非存在に応じて画像のサイズを小さく変更する機能を実行することにより、消費電力の削減を図ることができる。また図１３に示す例では、金曜日には、画像のサイズを小さく変更する機能を実行し、小画像をオーバーレイ表示する機能も実行することが設定されている。金曜日に人通りが若干増加する場所に設置されているマルチディスプレイ装置は、視聴者の存在又は非存在に応じて画像のサイズを小さく変更する機能と小画像をオーバーレイ表示する機能とを両方実行することにより、不特定の視聴者に見やすい画像表示を行うことができる。また図１３に示す例では、土曜日及び日曜日には、画像のサイズを小さく変更する機能を実行せずに、小画像をオーバーレイ表示する機能を実行することが設定されている。土曜日及び日曜日に人通りが増加する場所に設置されているマルチディスプレイ装置は、視聴者の存在又は非存在に応じて小画像をオーバーレイ表示する機能を実行することにより、近傍領域内に居る視聴者と遠距離に居る視聴者との両方にとって見やすい画像表示を行うことができる。
【００６６】
なお、本実施の形態においては、マルチディスプレイ装置は、曜日ではなく時刻に応じて画像のサイズを小さく変更する機能及び／又は小画像をオーバーレイ表示する機能の実行と非実行とを切り替える形態であってもよい。この形態の場合は、設定記憶部３２が記憶する設定内容では、時刻に関連付けて画像のサイズを小さく変更する機能及び／又は小画像をオーバーレイ表示する機能を実行するか否かが設定されている。表示制御部２１は、設定記憶部３２に記憶されている設定に従って、時計部３１が計測する時刻に応じて画像のサイズを小さく変更する機能及び／又は小画像をオーバーレイ表示する機能の実行と非実行とを切り替える処理を行う。例えば、深夜及び早朝の時刻では、マルチディスプレイ装置は、視聴者の存在又は非存在に応じて画像のサイズを小さく変更する機能を実行し、小画像をオーバーレイ表示する機能を実行しない。また人通りが若干増える昼間の時間帯では、マルチディスプレイ装置は、画像のサイズを小さく変更する機能と小画像をオーバーレイ表示する機能とを実行する。また人通りが多くしかも視聴者に時間の余裕がある夕方から夜までの時間帯では、マルチディスプレイ装置は、画像のサイズを小さく変更する機能を実行せず、小画像をオーバーレイ表示する機能を実行する。
【００６７】
以上の実施の形態１〜５においては、マルチディスプレイ装置は、スケーリング部２２及び表示切替部２３等の情報処理回路を備えて本発明に係る処理を実行する形態を示したが、本発明のマルチディスプレイ装置は、これらの情報処理回路の機能の一部をソフトウェアで実現する形態であってもよい。
【符号の説明】
【００６８】
１  ディスプレイ部
１１、１１１、１１２、１１３  ディスプレイ
２１  表示制御部
２２  スケーリング部
２３  表示切替部
２４  接続部
２５  入力部
２６  存在判定処理部
２７  顔検出部
２８  撮影部（撮像手段）
３１  時計部（時計手段）
３２  設定記憶部
【図１】
2012058475.tif 000003
【図２】
2012058475.tif 000004
【図３】
2012058475.tif 000005
【図４】
2012058475.tif 000006
【図５】
2012058475.tif 000007
【図６】
2012058475.tif 000008
【図７】
2012058475.tif 000009
【図８】
2012058475.tif 000010
【図９】
2012058475.tif 000011
【図１０】
2012058475.tif 000012
【図１１】
2012058475.tif 000013
【図１２】
2012058475.tif 000014
【図１３】
2012058475.tif 000015